(57)【要約】【課題】セキュアなインターネット通信サービスを低コストで提供する。【解決手段】複数の画像処理装置が相互にネットワーク接続された既存のシステムを利用したネットワークシステムであって、前記画像処理装置から端末登録を受け付ける手段と、端末登録を行った前記画像処理装置間の通信経路にインターネットプロトコル仮想私設網を形成する手段と、前記画像処理装置にローカル接続された情報端末に対し、前記インターネットプロトコル仮想私設網を介してインターネット通信サービスを提供する手段とを備える。【選択図】図２
2015156592.tif 000002
【特許請求の範囲】
【請求項１】
複数の画像処理装置が相互にネットワーク接続された既存のシステムを利用したネットワークシステムであって、
前記画像処理装置から端末登録を受け付ける手段と、
端末登録を行った前記画像処理装置間の通信経路にインターネットプロトコル仮想私設網を形成する手段と、
前記画像処理装置にローカル接続された情報端末に対し、前記インターネットプロトコル仮想私設網を介してインターネット通信サービスを提供する手段と
を備えたことを特徴とするネットワークシステム。
【請求項２】
請求項１に記載のネットワークシステムにおいて、
前記情報端末は前記画像処理装置に対して無線通信手段により自己のネットワークアドレスを含む端末識別を周期的に通知し、当該端末識別は宛先となる情報端末を選択する際の候補に用いられる
ことを特徴とするネットワークシステム。
【請求項３】
請求項１または２のいずれか一項に記載のネットワークシステムにおいて、
前記画像処理装置は、ローカル接続された情報端末を認証する情報端末認証手段を備え、
認証が正常に行われた場合に前記インターネット通信サービスの利用を可能とさせる
ことを特徴とするネットワークシステム。
【請求項４】
請求項１乃至３のいずれか一項に記載のネットワークシステムにおいて、
宛先となる接続可能な情報端末を選択する際の候補を限定する手段
を備えたことを特徴とするネットワークシステム。
【請求項５】
請求項１乃至４のいずれか一項に記載のネットワークシステムにおいて、
前記インターネット通信サービスはＴＶ会議サービスである
ことを特徴とするネットワークシステム。
【請求項６】
請求項１乃至４のいずれか一項に記載のネットワークシステムにおいて、
前記インターネット通信サービスは電話サービスである
ことを特徴とするネットワークシステム。
【請求項７】
複数の画像処理装置が相互にネットワーク接続された既存のシステムを利用したネットワークシステムの管理装置であって、
前記画像処理装置から端末登録を受け付ける手段と、
端末登録を行った前記画像処理装置間の通信経路にインターネットプロトコル仮想私設網を形成する手段と、
前記画像処理装置にローカル接続された情報端末に対し、前記インターネットプロトコル仮想私設網を介してインターネット通信サービスを提供する手段と
を備えたことを特徴とするネットワーク管理装置。
【発明の詳細な説明】
【技術分野】
【０００１】
本発明はネットワークシステムを構築する技術に関する。
【背景技術】
【０００２】
通信会社あるいはＩＳＰ（Internet Service Provider）と回線利用契約を結ぶことによりインターネット通信が可能となり、電話、ＴＶ会議、電子メール等の利用が可能となる。
【０００３】
しかし、盗聴や「なりすまし」に対する防御に問題があり、ファイアウォールを自前で設置する等の対策が必要となっている。専用回線網を構築し、外部からの接続を排斥すればこのような危険性はなくなるが、コスト面で大きな負担となる。
【０００４】
一方、特許文献１には、携帯電話と基地局との通信状態が悪くなった時、基地局は携帯電話へ近くにあるＭＦＰ（複合機）を通知し、基地局は携帯電話が選択したＭＦＰへ電子メールを送信し、携帯電話での受信を可能にする技術が開示されている。
【０００５】
特許文献２には、ＦＡＸ送信時にインターネット接続されたＭＦＰを中継して送信することにより、通信料金を安く提供する技術が開示されている。
【０００６】
特許文献３には、公衆回線網を介してＭＦＰサービスへアクセス可能にする技術が開示されている。
【発明の概要】
【発明が解決しようとする課題】
【０００７】
上述しように、一企業や一事業者がセキュアなネットワークシステムを新たに構築するのは困難であった。
【０００８】
また、特許文献１〜３には、既存のＭＦＰを利用して通信サービスの一部を行う旨が開示されているが、セキュリティ対策については十分でなく、企業等が本格的に利用するのは困難である。
【０００９】
本発明は上記の従来の問題点に鑑み提案されたものであり、その目的とするところは、セキュアなインターネット通信サービスを低コストで提供することにある。
【課題を解決するための手段】
【００１０】
上記の課題を解決するため、本発明にあっては、複数の画像処理装置が相互にネットワーク接続された既存のシステムを利用したネットワークシステムであって、前記画像処理装置から端末登録を受け付ける手段と、端末登録を行った前記画像処理装置間の通信経路にインターネットプロトコル仮想私設網を形成する手段と、前記画像処理装置にローカル接続された情報端末に対し、前記インターネットプロトコル仮想私設網を介してインターネット通信サービスを提供する手段とを備えるようにしている。
【発明の効果】
【００１１】
本発明にあっては、セキュアなインターネット通信サービスを低コストで提供することができる。
【図面の簡単な説明】
【００１２】
【図１】本発明の一実施形態にかかるＭＦＰネットワークシステムの構成例を示す図である。
【図２】ＭＦＰネットワークシステムを構成する要素の機能構成例を示す図である。
【図３】ＭＦＰネットワークシステムの活用例を示す図である。
【図４Ａ】ＭＦＰ登録の処理例を示す図（その１）である。
【図４Ｂ】ＭＦＰ登録の処理例を示す図（その２）である。
【図５】組織登録の処理例を示す図である。
【図６Ａ】会員登録の処理例を示す図（その１）である。
【図６Ｂ】会員登録の処理例を示す図（その２）である。
【図７Ａ】プリンタドライバインストールの処理例を示す図（その１）である。
【図７Ｂ】プリンタドライバインストールの処理例を示す図（その２）である。
【図８Ａ】端末識別設定の処理例を示す図（その１）である。
【図８Ｂ】端末識別設定の処理例を示す図（その２）である。
【図９Ａ】ＭＦＰログイン・ログアウトの処理例を示す図（その１）である。
【図９Ｂ】ＭＦＰログイン・ログアウトの処理例を示す図（その２）である。
【図１０】ＭＦＰの処理例を示すフローチャートである。
【図１１Ａ】端末検知の処理例を示す図（その１）である。
【図１１Ｂ】端末検知の処理例を示す図（その２）である。
【図１１Ｃ】端末検知の処理例を示す図（その３）である。
【図１２】端末検知の処理例を示すフローチャートである。
【図１３】端末非検知の処理例を示すフローチャートである。
【図１４】会員アドレスによる接続の処理例を示すシーケンス図である。
【図１５】接続先一覧選択による接続の処理例を示すシーケンス図である。
【図１６Ａ】接続先一覧作成の処理例を示すフローチャート（その１）である。
【図１６Ｂ】接続先一覧作成の処理例を示すフローチャート（その２）である。
【図１７】ＴＶ会議の処理例を示すシーケンス図である。
【図１８】文書位置情報所得の処理例を示す図である。
【図１９】文書画面共有の処理例を示す図である。
【発明を実施するための形態】
【００１３】
以下、本発明の好適な実施形態につき説明する。
【００１４】
＜＜構成・概略動作＞＞
＜システム構成＞
図１は本発明の一実施形態にかかるＭＦＰネットワークシステムの構成例を示す図である。
【００１５】
図１において、インターネットサービスプロバイダ（ＩＳＰ：Internet Services Provider）１１（１１ａ、１１ｂ、１１ｃ、・・）が提供するネットワーク回線網１（１ａ、１ｂ、１ｃ、・・）は、ネットワークオペレーションセンタ（ＮＯＣ：Network Operation Center）１２（１２ａ、１２ｂ、１２ｃ、・・）を介してインターネットエクスチェンジ（ＩＸ：Internet Exchange）２により相互に接続されている。
【００１６】
センターサーバ３はインターネットプロトコル仮想私設網（ＩＰ−ＶＰＮ：Internet Protocol Virtual Private Network）によりネットワーク回線網１上に接続され、同じくネットワーク回線網１に接続されるＭＦＰ（Multi-Function Peripheral, Multi-Function Printer）５（５ａ、５ｂ、５ｃ、５ｄ、５ｅ、５ｆ、・・）や、ＭＦＰ５にローカル接続される情報端末６（６ａ、６ｂ、６ｃ、６ｄ、６ｅ、６ｆ、６ｇ、・・）を管理する。センターサーバ３は、管理のための情報をデータベース３０に保持する。データベース３０で保持する情報としては、端末数、端末情報、ＭＦＰ数、ＭＦＰ情報、会員数、会員情報等がある。詳細については後述する。
【００１７】
中継サーバ４（４ａ、４ｂ、・・）はＩＰ−ＶＰＮによりネットワーク回線網１上に接続され、ＭＦＰ５間を中継する。
【００１８】
ＭＦＰ５はＩＰ−ＶＰＮによりネットワーク回線網１上に接続され、センターサーバ３および中継サーバ４と通信する。
【００１９】
情報端末６はＷｉＦｉ−ＶＰＮによりＭＦＰ５と通信する。情報端末６には、ＰＣ端末、スマートフォン、モバイル端末、ＴＶ会議端末等が含まれる。
【００２０】
＜機能構成＞
図２はＭＦＰネットワークシステムを構成する要素の機能構成例を示す図である。
【００２１】
（ＭＦＰ５）
ＭＦＰ５は、ＩＰ−ＶＰＮ通信部５１とＷｉＦｉ通信部５２とＭＦＰ操作部５３とＭＦＰ機能実行部５４とＭＦＰ情報管理部５５とＭＦＰ情報記憶部５６と端末検知部５７と接続端末記憶部５８と印刷部５９とを備えている。
【００２２】
ＩＰ−ＶＰＮ通信部５１は、ＩＰ−ＶＰＮによりセンターサーバ３や中継サーバ４と通信を行い、通信データを受信した場合、データ種により各処理手段へ振り分ける。また、各処理手段から通信データを受け取り、センターサーバ３や中継サーバ４へ送信する。
【００２３】
ＷｉＦｉ通信部５２は、情報端末６とＷｉＦｉ通信を行い、通信データを取得した場合、データ種により各処理手段へ振り分ける。また、各処理手段から通信データを受け取り、情報端末６へ送信する。また、ＩＰ−ＶＰＮ通信部５１と通信データのやり取りを行う。
【００２４】
ＭＦＰ操作部５３は、ＭＦＰ操作パネルへ操作メニューを表示し、ＭＦＰユーザのメニュー選択を入力する。
【００２５】
ＭＦＰ機能実行部５４は、ＭＦＰ操作部５３が入力した機能（コピー、印刷、ＦＡＸ等）を実行する。
【００２６】
ＭＦＰ情報管理部５５は、ＭＦＰ操作部５３が入力したＭＦＰ情報をＭＦＰ情報記憶部（ＨＤ、フラッシュメモリ等）５６へ記憶し、ＩＰ−ＶＰＮ通信部５１を介してセンターサーバ３へＭＦＰ情報を通知する。
【００２７】
端末検知部５７は、情報端末６が周期的に発する端末識別をＷｉＦｉ通信部５２から受け取り、センターサーバ３へ通知し、認証を受けるとともに、接続端末記憶部５８へ記憶する。
【００２８】
印刷部５９は、ページ記述言語（ＰＤＬ：Page Description Language）による印刷データをＷｉＦｉ通信部５２から受け取り、ビットマップデータへ変換し印刷する。
【００２９】
（情報端末６）
情報端末６は、ＷｉＦｉ通信部６１と印刷部６２と端末識別設定部６３と端末識別記憶部６４と端末識別通知部６５とＴＶ会議部６６と電子メール部６７と電話部６８とを備えている。
【００３０】
ＷｉＦｉ通信部６１は、ＭＦＰ５とＷｉＦｉ通信を行い、通信データを取得した場合、データ種により各処理手段へ振り分ける。また、各処理手段から通信データを受け取り、ＭＦＰ５へ送信する。
【００３１】
印刷部６２は、情報端末６のアプリケーション（アプリケーションプログラム）から印刷データを受け取り、ＰＤＬに変換し、ＷｉＦｉ通信部６１を介してＭＦＰ５へ送信する。
【００３２】
端末識別設定部６３は、端末識別設定画面を表示し、端末種別、会員アドレス、パスワード、許可マスク、許可番号等を取得し、端末識別記憶部６４へ記憶する。
【００３３】
端末識別通知部６５は、端末識別記憶部６４に記憶されている端末識別を、ＷｉＦｉ通信部６１を介して周期的に発信する。
【００３４】
ＴＶ会議部６６は、会議文書データ、音声データ、画像データを、ＷｉＦｉ通信部６１を介してＭＦＰ５と通信し、末端の接続相手との間でＴＶ会議を実現する。
【００３５】
電子メール部６７は、電子メールデータを、ＷｉＦｉ通信部６１を介してＭＦＰ５と通信し、電子メールの送受信を実現する。
【００３６】
電話部６８は、音声データを、ＷｉＦｉ通信部６１を介してＭＦＰ５と通信し、末端の接続相手との間で通話を実現する。
【００３７】
（センターサーバ３）
センターサーバ３は、ＩＰ−ＶＰＮ通信部３１と会員情報管理部３２と会員情報記憶部３３と会員認証部３４と端末情報管理部３５と端末情報記憶部３６と接続先一覧作成部３７とＭＦＰ情報管理部３８とＭＦＰ情報記憶部３９とを備えている。
【００３８】
ＩＰ−ＶＰＮ通信部３１は、ＩＰ−ＶＰＮにより中継サーバ４やＭＦＰ５と通信し、通信データを取得した場合、データ種により各処理手段へ振り分ける。また、各処理手段から通信データを受け取り、中継サーバ４やＭＦＰ５へ送信する。
【００３９】
会員情報管理部３２は、ＩＰ−ＶＰＮ通信部３１を介して会員情報を入力し、会員情報記憶部３３へ記憶する。
【００４０】
会員認証部３４は、ＩＰ−ＶＰＮ通信部３１を介してＭＦＰ５から会員番号およびパスワードを入力し、会員情報記憶部３３を検索し、同一の会員番号およびパスワードが存在するか判定して認証する。
【００４１】
端末情報管理部３５は、ＩＰ−ＶＰＮ通信部３１を介してＭＦＰ５から接続中の情報端末６の端末識別情報を入力し、端末情報記憶部３６へ記憶する。また、ＭＦＰ５から非検知となった情報端末６の端末削除通知を入力し、該当する端末情報を端末情報記憶部３６から削除する。
【００４２】
接続先一覧作成部３７は、端末情報記憶部３６から接続許可端末を検索し、階層一覧を作成し、ＩＰ−ＶＰＮ通信部３１を介してＭＦＰ５へ提供する。
【００４３】
ＭＦＰ情報管理部３８は、ＩＰ−ＶＰＮ通信部３１を介してＭＦＰ５からＭＦＰ情報を入力し、ＭＦＰ情報記憶部３９へ記憶する。
【００４４】
（中継サーバ４）
中継サーバ４は、ＩＰ−ＶＰＮ通信部４１とデータ中継部４２とＩＰ−ＶＰＮ通信部４３とを備えている。
【００４５】
ＩＰ−ＶＰＮ通信部４１は、ＭＦＰ５から文書データ、音声データ、動画像データ、静止画像データ等を入力し、データ中継部４２へ渡す。
【００４６】
データ中継部４２は、データの中継を行い、音声データや動画像データについては途切れなく再生可能に制御する。
【００４７】
ＩＰ−ＶＰＮ通信部４３は、データ中継部４２から文書データ、音声データ、動画像データ、静止画像データ等を受け取り、他のＭＦＰ５へ送信する。
【００４８】
＜活用例＞
図３はＭＦＰネットワークシステムの活用例を示す図である。
【００４９】
先ず、会社オフィースやテレワークオフィースに、会員登録することによりコピー、印刷、ＭＦＰネットワークサービスの利用が可能となるＭＦＰ５ａ、５ｄを設置する。
【００５０】
ＰＣ端末である情報端末６ａ、６ｆ間を、ＭＦＰ５ａ、５ｄをルータとして接続し、音声データ、動画像データ、静止画像データ、文書データを送受信することにより、会議資料画面を共有するＰＣ端末会議サービスを提供する。
【００５１】
スマートフォンである情報端末６ｂ、６ｅ間を、ＭＦＰ５ａ、５ｄをルータとして接続し、音声データを送受信することにより、電話サービスを提供する。
【００５２】
ＭＦＰ５ａをルータとして社内のローカルエリアネットワーク（ＬＡＮ）へ接続し、会社サーバを介してデータベースとの間で資料のダウンロード、アップロード等を行う。
【００５３】
＜＜個別動作＞＞
＜ＭＦＰ登録＞
図４Ａおよび図４ＢはＭＦＰ登録の処理例を示す図である。ＭＦＰ登録は、個々のＭＦＰ５をＭＦＰネットワークシステムで利用可能にするための処理である。
【００５４】
ＭＦＰ５の操作パネルからカスタマーエンジニアモードに入り、表示メニューから「ＭＦＰ登録」を選択すると、ＭＦＰ登録画面が表示され（ステップＳ１０１）、ＭＦＰ５の不揮発性メモリに設定されている「ＭＦＰ番号」が表示される（ステップＳ１０２）。
【００５５】
設置環境（ＭＦＰの設置される環境）のプルダウンボタンを押下すると（ステップＳ１０３）、複数のメニュー項目が表示され（ステップＳ１０４）、上向きボタンを押下すると（ステップＳ１０５）上へスクロール表示され、下向きボタンを押下すると（ステップＳ１０６）下へスクロール表示され、メニュー項目をクリックすると（ステップＳ１０７）確定される（ステップＳ１０８）。確定した設置環境は、図４Ｂに示す設置環境コードに従って「環境コード」に変換される。
【００５６】
同様に、設置地域（ＭＦＰの設置される地域）も入力され（ステップＳ１０９）、図４Ｂに示す設置地域コードに従って「地域コード」に変換される。
【００５７】
「次へ」ボタンを押下（ステップＳ１１０）すると次の画面に遷移し（ステップＳ１１１）、ＩＰアドレス（ＭＦＰのネットワークアドレス）の設定（ステップＳ１１２）、建物名（ＭＦＰの設置される建物の名称）の設定（ステップＳ１１３）、緯度・経度（ＭＦＰの設置される位置）の設定（ステップＳ１１４）を行う。なお、緯度・経度はＧＰＳ付き携帯端末等で建物の緯度・経度を取得し、それを設定する。
【００５８】
なお、ユーザの設定とは別に、ＭＦＰ本体に装着されているオプション機器（ステイプル、セキュア排紙トレイ等）を示すオプション情報が自動的に取得され、図４Ｂに示すＭＦＰ情報の一部として設定される（ステップＳ１１５）。
【００５９】
図４Ａの画面から「登録」ボタンを押下することで（ステップＳ１１６）、図４Ｂに示すＭＦＰ情報はＭＦＰ５の不揮発性メモリに保存されるとともに、センターサーバ３へ通知されて蓄積される（ステップＳ１１７）。
【００６０】
＜組織登録＞
図５は組織登録の処理例を示す図である。組織登録は、ＭＦＰネットワークサービスを利用する組織を登録する処理である。
【００６１】
情報端末６のＷｅｂブラウザから「組織登録サイトＵＲＬ」によりセンターサーバ３へアクセスすることにより「組織登録Ｗｅｂページ」が表示される（ステップＳ１２１）。
【００６２】
組織登録Ｗｅｂページにおいて、組織名を設定し（ステップＳ１２２）、決済方法（ＭＦＰあるいはＭＦＰネットワークサービス利用にかかわる課金の支払い方法）を選択し（ステップＳ１２３）、クレジットカード支払いを選択した場合は「カード番号」、口座引き落としを選択した場合は「口座番号」を設定する（ステップＳ１２４）。
【００６３】
「登録」ボタンを押下することにより（ステップＳ１２５）、確認画面が表示される（ステップＳ１２６）。確認画面では、組織に対して割り当てられた組織番号が表示される（ステップＳ１２７）。
【００６４】
「終了」ボタンの押下により（ステップＳ１２８）、センターサーバ３へ設定情報が通知され蓄積される。
【００６５】
＜会員登録＞
図６Ａおよび図６Ｂは会員登録の処理例を示す図である。会員登録は、ＭＦＰネットワークサービスを利用する会員を登録する処理である。
【００６６】
情報端末６のＷｅｂブラウザから「会員登録サイトＵＲＬ」によりセンターサーバ３へアクセスすることにより「会員登録Ｗｅｂページ」が表示される（ステップＳ１３１）。後述する情報端末へのドライバインストール時に会員登録を行ってもよい。
【００６７】
会員登録Ｗｅｂページにおいて、組織番号として組織登録（図５）により取得した組織番号を入力し（ステップＳ１３２）、名前（会員名）を入力し（ステップＳ１３３）、年齢・性別を入力し（ステップＳ１３４）、ＭＦＰネットワークサービス接続時の会員アドレスを設定する（ステップＳ１３５）。
【００６８】
「次へ」ボタンを押下すると（ステップＳ１３６）、階層名設定画面が表示される（ステップＳ１３７）。
【００６９】
この階層名設定画面において、接続先一覧表示時の第１階層に表示する階層名を設定し（ステップＳ１３８）、接続先一覧表示時の第２階層に表示する階層名を設定し（ステップＳ１３９）、接続先一覧表示時の第３階層に表示する階層名を設定し（ステップＳ１４０）、接続先一覧表示時の第４階層に表示する階層名を設定し（ステップＳ１４１）、接続先一覧表示時の第５階層に表示する階層名を設定する（ステップＳ１４２）。
【００７０】
「次へ」ボタンを押下すると（ステップＳ１４３）、趣味・職業・興味設定画面が表示される（ステップＳ１４４）。
【００７１】
趣味・職業・興味設定画面において、趣味に該当する項目をチェック（複数項目チェック可能）すると（ステップＳ１４５）、「趣味コード」（図６Ｂ）に変換され会員情報（図６Ｂ）に設定される。同様に、職業に該当する項目をチェック（複数項目チェック可能）すると（ステップＳ１４６）、「職業コード」（図６Ｂ）に変換され会員情報（図６Ｂ）に設定される。同様に、興味に該当する項目をチェック（複数項目チェック可能）すると（ステップＳ１４７）、「興味コード」（図６Ｂ）に変換され会員情報（図６Ｂ）に設定される。
【００７２】
「登録」ボタンの押下（ステップＳ１４８）により会員番号が割り当てられ、パスワード入力画面が表示される（ステップＳ１４９）。パスワード入力画面には割り当てられた会員番号が表示される（ステップＳ１５０）。
【００７３】
パスワード入力画面において、ＭＦＰやＭＦＰネットワークサービスの利用時のパスワードを入力し（ステップＳ１５１）、再入力（ステップＳ１５２）により確認し、会員カードの送付先を入力する（ステップＳ１５３）。
【００７４】
「終了」ボタンの押下により（ステップＳ１５４）、会員情報が作成され、センターサーバ３へ通知され蓄積される。
【００７５】
＜プリンタドライバインストール＞
図７Ａおよび図７Ｂはプリンタドライバインストールの処理例を示す図である。プリンタドライバインストールは、情報端末からＭＦＰを利用するためのプログラムを導入する処理である。
【００７６】
情報端末６のＷｅｂブラウザから「ドライバダウンロードサイトＵＲＬ」によりセンターサーバ３へアクセスし、表示されるダウンロードＷｅｂページ（ステップＳ１６１）から「ダウンロード」ボタンを押下（ステップＳ１６２）してインストーラを情報端末へダウンロードする。
【００７７】
インストーラの起動によりインストール画面が表示され（ステップＳ１６３）、「インストール」ボタンを押下することで（ステップＳ１６４）、インストールを開始する。
【００７８】
インストーラはドライバ起動時に参照するドライバ初期情報（図７Ｂ）を作成し、情報端末の記憶装置（レジストリ等）へ保存する。
【００７９】
＜端末識別設定＞
図８Ａは端末識別設定の処理例を示す図である。端末識別設定は、情報端末６の種別（共有端末、認証付き個人端末、認証無し個人端末）に応じた設定を行うとともに、情報端末６から端末識別を周期的に発信するための所定のプログラムをインストールし、ＭＦＰネットワークサービスの利用を可能にする処理である。なお、画面としてスマートフォンを例に説明するが、他のタイプの情報端末も同様である。
【００８０】
情報端末６のＷｅｂブラウザから「ＭＦＰネットワークサービスサイトＵＲＬ」によりセンターサーバ３へアクセスすることにより端末識別設定画面が表示される（ステップＳ１７１）。
【００８１】
端末識別設定画面において、端末種別を選択する（ステップＳ１７２）。この際、入力欄の右側の下向きボタンを押下（ステップＳ１７３）することにより表示されるメニュー項目（ＰＣ、スマートフォン、モバイル端末、ＴＶ会議端末等）から選択する。
【００８２】
続いて、利用（情報端末利用形態）が「個人」か「共有」を選択する（ステップＳ１７４）。「個人」が選択された場合、「次へ」ボタンが表示される。「共有」が選択された場合、「登録」ボタンが表示される。共有が選択された場合、情報端末６は共有端末となる。共有端末は、特定の個人が専用に使用するのではなく、所定の範囲内のユーザが共有して用いる端末である。
【００８３】
「個人」が選択されて「次へ」ボタンが表示され、「次へ」ボタンを押下すると（ステップＳ１７５）、個人情報登録画面が表示される（ステップＳ１７６）。
【００８４】
個人情報登録画面において、会員登録時に設定した会員アドレスを設定し（ステップＳ１７７）、会員登録時に設定したパスワードを設定し（ステップＳ１７８）、許可マスクを設定し（ステップＳ１７９）、許可番号を設定する（ステップＳ１８０）。
【００８５】
許可マスクは、会員番号と同じ桁の１６進の数列であり、先頭から組織番号の桁数だけ「Ｆ」とし、その後を全て「０」にしたものである。例えば、会員番号が「１２３４０００１」で組織番号が「１２３４」の場合、許可マスクは「ＦＦＦＦ００００」となる。
【００８６】
許可番号は、会員番号と同じ桁の１６進の数列であり、先頭から組織番号の部分（組織番号に相当）は会員番号と同じとし、その後を全て「０」にしたものである。例えば、会員番号が「１２３４０００１」の場合、許可番号は「１２３４００００」となる。
【００８７】
また、情報端末起動時に認証が「有り」か「無」を選択する（ステップＳ１８１）。「有り」が選択された場合、情報端末６は認証付き個人端末となる。「無」が選択された場合、情報端末６は認証無し個人端末となる。
【００８８】
「共有」が選択された場合に表示される「登録」ボタンの押下により、または個人情報の設定後の「登録」ボタンの押下により（ステップＳ１８２）、設定情報を情報端末６へ記憶し、センターサーバ３からＭＦＰネットワークサービス利用に必要となるプログラム（端末識別通知アプリケーション、ＴＶ会議アプリケーション、電話アプリケーション等）をダウンロードし、実行可能に情報端末へインストールする。
【００８９】
共有端末で端末識別通知アプリケーションを起動すると、図８Ｂにおいて、ＭＦＰネットワークサービス接続へのログイン画面が表示される（ステップＳ１８３）。
【００９０】
ログイン画面において、共有端末利用者の会員アドレスを入力し（ステップＳ１８４）、パスワードを入力し（ステップＳ１８５）、  許可マスクを設定し（ステップＳ１８６）、  許可番号を設定し（ステップＳ１８７）、「ログイン」ボタンを押下すると（ステップＳ１８８）、端末識別を周期的に発信する。
【００９１】
認証付き個人端末で、端末識別通知アプリケーションを起動すると、図８Ｂにおいて、ＭＦＰネットワークサービス接続へのログイン画面が表示される（ステップＳ１８９）。ログイン画面において、会員アドレスが表示され（ステップＳ１９０）、パスワードを入力し（ステップＳ１９１）、「ログイン」ボタンを押下すると（ステップＳ１９２）、端末識別を周期的に発信する。
【００９２】
認証無し個人端末は、パワーオンにより、ログイン画面の表示なしでＭＦＰネットワークサービスへ自動的にログイン、端末識別を周期的に発信する。
【００９３】
＜ＭＦＰログイン・ログアウト＞
図９Ａおよび図９ＢはＭＦＰログイン・ログアウトの処理例を示す図である。なお、ＭＦＰ５の利用には利用カード（会員登録の完了によりユーザに送付）が必要となる。
【００９４】
ＭＦＰ５が未利用時のＭＦＰ操作パネル初期画面が表示された状態（ステップＳ２０１）で、ＭＦＰ会員カードが検知（ＭＦＰ５から半径５ｍ〜６ｍ程度の範囲で検知）された時（図９ＢのステップＳ２０２）、ＭＦＰ会員カードから会員名称、会員番号が読み取られ、パスワード入力画面が表示され（ステップＳ２０３）、会員名称が表示される。
【００９５】
パスワードを入力し（ステップＳ２０４）、「ログイン」ボタンを押下すると（ステップＳ２０５）、入力パスワード、会員番号がセンターサーバ３へ通知され認証される。
【００９６】
認証されと、ＭＦＰメニュー画面が表示され（ステップＳ２０６）、ＭＦＰ機能の利用が可能となる。
【００９７】
「ログアウト」ボタンが押下されると（ステップＳ２０７）、ログアウトが行われる。「ログアウト」ボタンが押下されずに、会員カードが非検知となった時（図９ＢのステップＳ２０８）、自動的にログアウトが行われる。
【００９８】
図１０はＭＦＰ５の処理例を示すフローチャートである。
【００９９】
図１０において、先ずＭＦＰ初期画面を表示する（ステップＳ２１１）。
【０１００】
次いで、会員カードの検知を監視する（ステップＳ２１２）。
【０１０１】
会員カードが検知された場合（ステップＳ２１２のＹ）、会員カードから会員情報（会員番号、名前）を取得する（ステップＳ２１３）。
【０１０２】
次いで、パスワード入力画面を表示し、会員名称を表示する（ステップＳ２１４）。
【０１０３】
次いで、パスワードを入力する（ステップＳ２１５）。
【０１０４】
次いで、会員番号、パスワードをセンターサーバ３へ通知し認証されるか判断する（ステップＳ２１６）。
【０１０５】
認証されなかった場合（ステップＳ２１６のＮ）、非認証画面を表示する（ステップＳ２１７）。
【０１０６】
次いで、会員カードの非検知を監視する（ステップＳ２１８）。会員カードが非検知となった場合（ステップＳ２１８のＹ）、ＭＦＰ初期画面の表示（ステップＳ２１１）に戻る。
【０１０７】
認証された場合（ステップＳ２１６のＹ）、ＭＦＰメニュー画面を表示する（ステップＳ２１９）。
【０１０８】
次いで、会員カードが非検知となったか判定する（ステップＳ２２０）。会員カードが非検知となった場合（ステップＳ２２０のＹ）、ＭＦＰ初期画面の表示（ステップＳ２１１）に戻る。
【０１０９】
会員カードが非検知でない場合（ステップＳ２２０のＮ）、操作パネルから入力があったか判定する（ステップＳ２２１）。操作パネルから入力がない場合（ステップＳ２２１のＮ）、会員カードの非検知の判定（ステップＳ２２０）に戻る。
【０１１０】
操作パネルから入力があった場合（ステップＳ２２１のＹ）、それがログアウト入力か判定する（ステップＳ２２２）。ログアウト入力である場合（ステップＳ２２２のＹ）、ＭＦＰ初期画面の表示（ステップＳ２１１）に戻る。
【０１１１】
ログアウト入力でない場合（ステップＳ２２２のＮ）、機能実行入力か判定する（ステップＳ２２３）。
【０１１２】
機能実行入力でない場合（ステップＳ２２３のＮ）、画面を更新して入力に対応する画面を表示し（ステップＳ２２４）、会員カードの非検知の判定（ステップＳ２２０）に戻る。
【０１１３】
機能実行入力である場合（ステップＳ２２３のＹ）、入力されたＭＦＰ機能を実行し（ステップＳ２２５）、会員カードの非検知の判定（ステップＳ２２０）に戻る。
【０１１４】
＜端末検知＞
図１１Ａ、図１１Ｂおよび図１１Ｃは端末検知の処理例を示す図である。
【０１１５】
図１１Ａにおいて、ＭＦＰネットワークサービスにログインした情報端末６ｂは周期的に無線通信にて「端末識別」を発信する（ステップＳ２３１）。
【０１１６】
ＭＦＰ５ａは端末識別を検知すると、端末識別の「会員番号」「パスワード」によりセンターサーバ３で会員認証する（ステップＳ２３２）。
【０１１７】
ＭＦＰ５ａは情報端末６ｂが認証されると、端末識別に「ＭＦＰ番号」「ＭＦＰ  ＩＰアドレス」を付加した「端末識別情報」をセンターサーバ３へ通知する（ステップＳ２３３）。
【０１１８】
センターサーバ３は会員番号から会員情報を検索し、端末識別情報へ「会員アドレス」、「第１階層名」、「第２階層名」、「第３階層名」、「第４階層名」、「第５階層名」を付加し、端末情報を作成記憶する。端末識別、端末識別情報および端末情報の例を図１１Ｂに示している。
【０１１９】
なお、図１１Ｃに示すように、接続を希望する情報端末の会員番号と、要求元の情報端末の許可マスクの論理積（ＡＮＤ）をとった結果が、要求元の情報端末の許可番号と一致する場合、接続が許可される。
【０１２０】
図１２は端末検知の処理例を示すフローチャートである。なお、図中に、処理に用いられる「接続端末管理テーブル」と「接続端末情報」のデータ構造を併せて示している。
【０１２１】
図１２において、ＭＦＰ５はパワーオンにより起動され、情報端末を監視する。
【０１２２】
先ず、接続端末管理テーブルの「接続端末数」を「０」に設定する（ステップＳ２４１）。
【０１２３】
次いで、端末識別の受信を監視する（ステップＳ２４２）。受信がない場合（ステップＳ２４２のＮ）、監視を繰り返す。
【０１２４】
端末識別の受信があった場合（ステップＳ２４２のＹ）、接続端末があるか判定する（ステップＳ２４３）。
【０１２５】
接続端末がある場合（ステップＳ２４３のＹ）、接続端末管理テーブルの接続端末情報の索引を示す「索引番号」を「０」に設定する（ステップＳ２４４）。
【０１２６】
次いで、索引番号に相当する接続端末情報を取得する（ステップＳ２４５）。
【０１２７】
次いで、接続端末情報の「端末識別」と受信した「端末識別」の会員番号が一致するか判定する（ステップＳ２４６）。
【０１２８】
一致する場合（ステップＳ２４６のＹ）、接続端末情報の「検出時刻」を設定し（ステップＳ２４７）、端末識別の受信の監視（ステップＳ２４２）に戻る。
【０１２９】
会員番号が一致しない場合（ステップＳ２４６のＮ）、索引番号をカウントアップする（ステップＳ２４８）。
【０１３０】
次いで、接続端末の全てを調査したか判定する（ステップＳ２４９）。調査していない場合（ステップＳ２４９のＹ）、接続端末情報の取得（ステップＳ２４５）に戻る。
【０１３１】
接続端末の全てを調査した場合（ステップＳ２４９のＮ）、または、接続端末がない場合（ステップＳ２４３のＮ）、会員認証を行う（ステップＳ２５０）。ここで、接続端末管理テーブルに記憶されてない情報端末の場合、端末識別の「会員番号」「パスワード」をセンターサーバ３へ通知し、認証する。
【０１３２】
次いで、認証されたか判定する（ステップＳ２５１）。認証されなかった場合（ステップＳ２５１のＮ）、端末識別の受信の監視（ステップＳ２４２）に戻る。
【０１３３】
認証された場合（ステップＳ２５１のＹ）、センターサーバ３へ「端末識別情報」を通知する（ステップＳ２５２）。
【０１３４】
次いで、接続端末情報を接続端末管理テーブルへ記憶する（ステップＳ２５３）。
【０１３５】
次いで、接続端末数をカウントアップし（ステップＳ２５４）、端末識別の受信の監視（ステップＳ２４２）に戻る。
【０１３６】
＜端末非検知＞
図１３は端末非検知の処理例を示すフローチャートである。
【０１３７】
図１３において、ＭＦＰ５はパワーオンにより起動され、情報端末の非検知を監視する。
【０１３８】
先ず、タイムアウト時間（情報端末の端末識別発信周期より大きい時間）を停止する（ステップＳ２６１）。
【０１３９】
次いで、接続端末があるか判定する（ステップＳ２６２）。接続端末がない場合（ステップＳ２６２のＮ）、タイムアウト時間の停止（ステップＳ２６１）に戻る。
【０１４０】
接続端末がある場合（ステップＳ２６２のＹ）、現時刻を取得する（ステップＳ２６３）。
【０１４１】
次いで、接続端末管理テーブルの接続端末情報の索引を示す「索引番号」を「０」に設定する（ステップＳ２６４）。
【０１４２】
次いで、索引番号に相当する接続端末情報を取得する（ステップＳ２６５）。
【０１４３】
次いで、接続端末情報の「検出時刻」から現時刻までの経過時間「Ｔ」を算出する（ステップＳ２６６）。
【０１４４】
次いで、経過時間「Ｔ」がタイムアウト時間を越えるか判定する（ステップＳ２６７）。
【０１４５】
超える場合（ステップＳ２６７のＹ）、センターサーバ３へ端末情報削除を通知する（ステップＳ２６８）。
【０１４６】
次いで、接続端末情報を接続端末管理テーブルから削除し、後方のデータを前方に詰める（ステップＳ２６９）。
【０１４７】
次いで、接続端末数をカウントダウンする（ステップＳ２７０）。
【０１４８】
また、経過時間「Ｔ」がタイムアウト時間を越えない場合（ステップＳ２６７のＮ）、索引番号をカウントアップする（ステップＳ２７１）。
【０１４９】
接続端末数のカウントダウン（ステップＳ２７０）と索引番号のカウントアップ（ステップＳ２７１）の後、接続端末の全てを調査したか判定する（ステップＳ２７２）。全てを調査していない場合（ステップＳ２７２のＹ）は接続端末情報の取得（ステップＳ２６５）に戻り、全てを調査している場合（ステップＳ２７２のＮ）はタイムアウト時間の停止（ステップＳ２６１）に戻る。
【０１５０】
＜会員アドレスによる接続＞
図１４は会員アドレスによる接続の処理例を示すシーケンス図である。なお、情報端末６ｂと情報端末６ｆの間で、それぞれ近傍のＭＦＰ５ａ、ＭＦＰ５ｅを介して接続を行う場合を例としている。
【０１５１】
先ず、ログイン非認証端末である情報端末６ｂは、パワーオンにより端末識別通知アプリケーションが起動され、端末識別を周期的に発信する（ステップＳ３０１）。
【０１５２】
ＭＦＰ５ａは情報端末６ｂからの端末識別を受信すると、認証され記憶されている接続中端末か判定する（ステップＳ３０２）。
【０１５３】
記憶されていない場合、端末識別の「会員番号」「パスワード」によりセンターサーバ３へ認証依頼する（ステップＳ３０３）。
【０１５４】
センターサーバ３は、データベースに記憶されている会員情報を検索して認証し（ステップＳ３０４）、認証結果を返信する（ステップＳ３０５）。
【０１５５】
ＭＦＰ５ａは認証端末である場合、「端末識別情報」を作成し、センターサーバ３へ通知する（ステップＳ３０６）。
【０１５６】
センターサーバ３はデータベースへ端末情報を記憶する（ステップＳ３０７）。ＭＦＰ５ａは端末情報を記憶する（ステップＳ３０８）。
【０１５７】
なお、ＭＦＰ５ａは記憶端末の端末識別が特定時間（情報端末が端末識別を送信する周期以上の時間）検知されない時、記憶されている端末情報を削除し、センターサーバ３へ端末情報削除依頼をする。
【０１５８】
ログイン認証端末である情報端末６ｆは、情報端末６ｆが提供するアプリケーション起動手段（「ログイン」ボタン押下）により端末識別通知アプリケーションを起動する（ステップＳ３０９）。
【０１５９】
端末識別通知アプリケーションが表示するログイン画面に「パスワード」を入力し、ログインする（ステップＳ３１０）。
【０１６０】
端末識別通知アプリケーションは、ログインにより端末識別を周期的に発信する（ステップＳ３１１）。
【０１６１】
一方、情報端末６ａが提供するアプリケーション起動手段（「電話」ボタン押下）により電話アプリケーションを起動する（ステップＳ３１２）。
【０１６２】
電話アプリケーションは、接続相手入力画面を表示する（ステップＳ３１３）。電話アプリケーションは、「相手アドレス」が設定され「接続」ボタンが押下されると接続要求を発信する（ステップＳ３１４）。
【０１６３】
ＭＦＰ５ａは接続要求を受信すると、センターサーバ３へ通知する（ステップＳ３１５）。
【０１６４】
センターサーバ３は、相手アドレス（会員アドレス）からデータベースに記憶されている端末情報を検索する（ステップＳ３１６）。
【０１６５】
センターサーバ３は、検索端末情報に設定されているＭＦＰ  ＩＰアドレスのＭＦＰ５ｅへ接続確認通知をする（ステップＳ３１７）。
【０１６６】
ＭＦＰ５ｅは、接続中端末を会員番号により検索し、端末識別に設定されている端末ＩＰアドレスの情報端末６ｆへ接続確認通知をする（ステップＳ３１８）。
【０１６７】
接続先端末の情報端末６ｆは、ＭＦＰ５ｅから接続確認通知を受信すると、電話アプリケーションを起動し、確認画面を表示する（ステップＳ３１９）。確認画面には接続元の情報が表示される。
【０１６８】
センターサーバ３は、ＭＦＰ５ｅから接続許可通知を受信すると、中継サーバ４の輻輳度等から適した中継サーバを選択し、ＭＦＰ５ａ、５ｅへ接続先情報（中継サーバＩＰ、相手ＭＦＰ  ＩＰ、相手端末ＩＰ）を通知する（ステップＳ３２０）。
【０１６９】
情報端末６ｂの電話アプリケーションは、音声データをＭＦＰ５ａへ発信する（ステップＳ３２１）。ＭＦＰ５ａは音声データに中継情報（相手ＭＦＰ  ＩＰ、端末ＩＰ）を付加し、中継サーバ４へ送信する（ステップＳ３２２）。中継サーバ４は、音声データに相手端末ＩＰを付加し、ＭＦＰ５ｅへ送信する（ステップＳ３２３）。ＭＦＰ５ｅは、音声データを情報端末６ｆへ送信する（ステップＳ３２４）。情報端末６ｆからの音声データも同様に情報端末６ｂに送信される。
【０１７０】
その後、情報端末６ｂの電話アプリケーションは、切断（電話ボタン押下）により切断通知を発信し（ステップＳ３２５）、接続を切る。
【０１７１】
＜接続先一覧選択による接続＞
図１５は接続先一覧選択による接続の処理例を示すシーケンス図である。なお、電話アプリケーションが起動されるまでのシーケンスは会員アドレスによる接続（図１４）と同様であるため省略する。
【０１７２】
先ず、情報端末６ｂの電話アプリケーションが表示する「検索」ボタンを押下する（ステップＳ３３１）。
【０１７３】
電話アプリケーションは、「検索」ボタンの押下により第１階層検索情報を発信する（ステップＳ３３２）。
【０１７４】
ＭＦＰ５ａは第１階層検索情報（会員番号、階層番号（１）、第１階層名（設定無し）〜第５階層名（設定無し））を受信すると、センターサーバ３へ検索要求をする（ステップＳ３３３）。
【０１７５】
センターサーバ３は、データベースの「端末情報」を検索し、検索情報の「会員番号」と端末情報の「許可マスク」でＡＮＤをとり、端末情報の「許可番号」と一致するか判定し、一致する許可端末一覧を作成する（ステップＳ３３４）。
【０１７６】
センターサーバ３は許可端末一覧から異なる第１階層名を抽出し、第１階層一覧を作成し（ステップＳ３３５）、ＭＦＰ５ａへ返信する（ステップＳ３３６）。
【０１７７】
ＭＦＰ５ａは、第１階層一覧を受け取ると情報端末６ｂへ通知する（ステップＳ３３７）。
【０１７８】
情報端末６ｂの電話アプリケーションは、第１階層一覧を受け取り、一覧表示する（ステップＳ３３８）。
【０１７９】
情報端末６ｂの電話アプリケーションは、一覧から第１階層名が選択されると、第２階層検索情報を発信する（ステップＳ３３９）。
【０１８０】
ＭＦＰ５ａは第２階層検索情報（会員番号、階層番号（２）、第１階層名（ＭＦＰサービス）、第２階層名（設定無し）〜第５階層名（設定無し））を受信すると、センターサーバ３へ検索要求をする（ステップＳ３４０）。
【０１８１】
センターサーバ３は、許可端末一覧から第１階層名が一致する異なる第２階層名を抽出し、第２階層一覧を作成し（ステップＳ３４１）、ＭＦＰ５ａへ通知する（ステップＳ３４２）。
【０１８２】
ＭＦＰ５ａは、第２階層一覧を受け取ると情報端末６ｂへ通知する（ステップＳ３４３）。
【０１８３】
情報端末６ｂの電話アプリケーションは、第２階層一覧を受け取り、一覧表示する（ステップＳ３４４）。その後も同様の処理を繰り返す。
【０１８４】
情報端末６ｂの電話アプリケーションは、第５階層一覧を受け取ると（ステップＳ３４５）、検索完了を発信する（ステップＳ３４６）。
【０１８５】
ＭＦＰ５ａは、検索完了（検索情報の階層番号（０））を受信すると、センターサーバ３へ通知する（ステップＳ３４７）。
【０１８６】
センターサーバ３は、検索完了を受け取ると許可端末一覧を削除する（ステップＳ３４８）。
【０１８７】
情報端末６ｂの電話アプリケーションは、接続相手が選択され「接続」ボタンが押下されると接続要求を発信する（ステップＳ３４９）。その後は、会員アドレスによる接続と同様に、宛先の情報端末６ｆと接続が行われる。
【０１８８】
図１６Ａおよび図１６Ｂは、図１５の処理の中で行われる接続先一覧作成の処理例を示すフローチャートである。なお、図中に、処理に用いられる「入力値」と「検索テーブル」と「許可端末テーブル」のデータ構造を併せて示している。
【０１８９】
図１６Ａにおいて、処理は会員番号、階層番号、第１階層名、第２階層名、第３階層名、第４階層名を入力値として実行される。階層名は順次選択した階層名が設定される。
【０１９０】
先ず、第１階層の選択か判定する（ステップＳ３５１）。
【０１９１】
第１階層の選択である場合（ステップＳ３５１のＹ）、入力値の「会員番号」の会員情報を、データベースを検索して取得する（ステップＳ３５２）。
【０１９２】
次いで、許可端末テーブルを作成し、会員番号を設定する（ステップＳ３５３）。
【０１９３】
次いで、許可端末数を「０」に設定する（ステップＳ３５４）。
【０１９４】
次いで、端末情報索引を「０」に設定する（ステップＳ３５５）。
【０１９５】
次いで、データベースから端末情報索引に相当する端末情報を取得する（ステップＳ３５６）。
【０１９６】
次いで、入力値の「会員番号」と取得端末情報の「許可マスク」で論理積（＆、ａｎｄ）をとる（ステップＳ３５７）。
【０１９７】
次いで、論理積の結果が取得端末情報「許可番号」と一致するか判定する（ステップＳ３５８）。
【０１９８】
一致する場合（ステップＳ３５８のＹ）、取得端末情報を許可端末テーブルへ設定する（ステップＳ３５９）。
【０１９９】
次いで、許可端末数をカウントアップする（ステップＳ３６０）。
【０２００】
その後、または、論理積の結果が取得端末情報「許可番号」と一致しない場合（ステップＳ３５８のＮ）、端末情報索引をカウントアップする（ステップＳ３６１）。
【０２０１】
次いで、データベースに記憶されている全ての端末情報を調査したか判定する（ステップＳ３６２）。すべて調査していない場合（ステップＳ３６２のＹ）、端末情報の取得（ステップＳ３５６）に戻る。
【０２０２】
すべて調査した場合（ステップＳ３６２のＮ）、許可端末テーブルを検索テーブルへ記憶する（ステップＳ３６３）。記憶した情報は削除要求があるまで記憶される。
【０２０３】
次いで、検索数をカウントアップする（ステップＳ３６４）。
【０２０４】
その後、または、第１階層の選択でない場合（ステップＳ３５１のＮ）、検索索引を「０」に設定する（ステップＳ３６５）。
【０２０５】
次いで、検索テーブルから検索索引に相当する許可端末テーブルを取得する（ステップＳ３６６）。
【０２０６】
次いで、入力値の「会員番号」と許可端末テーブルの「会員番号」が一致するか判定する（ステップＳ３６７）。
【０２０７】
「会員番号」が一致しない場合（ステップＳ３６７のＮ）、検索索引をカウントアップし（ステップＳ３６８）、許可端末テーブルの取得（ステップＳ３６６）に戻る。
【０２０８】
「会員番号」が一致する場合（ステップＳ３６７のＹ）、入力値の「階層番号」が「０」か判定する（ステップＳ３６９）。
【０２０９】
「０」の場合（ステップＳ３６９のＹ）、検索テーブルから許可端末テーブルを削除する（ステップＳ３７０）。
【０２１０】
次いで、検索テーブル「検索数」をカウントダウンする（ステップＳ３７１）。
【０２１１】
また、入力値の「階層番号」が「０」でない場合（ステップＳ３６９のＮ）、図１６Ｂにおいて、許可端末索引を「０」に設定する（ステップＳ３７２）。
【０２１２】
次いで、検索端末テーブルの「検索端末数」を「０」に設定する（ステップＳ３７３）。
【０２１３】
次いで、許可端末テーブルから許可端末索引に相当する端末情報を取得する（ステップＳ３７４）。
【０２１４】
次いで、検索階層を「１」に設定する（ステップＳ３７５）。
【０２１５】
次いで、検索階層上位の階層名を調査したか判定する（ステップＳ３７６）。例えば、第３階層の一覧作成の場合、第１階層名、第２階層名が一致する端末情報を許可端末テーブルから検索する。
【０２１６】
検索階層上位の階層名を調査した場合（ステップＳ３７６のＹ）、入力値、取得端末情報の検索階層の階層名が一致するか判定する（ステップＳ３７７）。
【０２１７】
階層名が一致する場合（ステップＳ３７７のＹ）、検索階層をカウントアップし（ステップＳ３７８）、検索階層上位の階層名を調査したかの判定（ステップＳ３７６）に戻る。
【０２１８】
検索階層上位の階層名を調査していない場合（ステップＳ３７６のＮ）、検索端末索引を「０」に設定する（ステップＳ３７９）。
【０２１９】
次いで、検索端末テーブルを全て調査したか判定する（ステップＳ３８０）。
【０２２０】
全て調査していない場合（ステップＳ３８０のＹ）、検索端末テーブルから検索端末索引に相当する端末情報を取得する（ステップＳ３８１）。
【０２２１】
次いで、取得許可端末テーブルの「端末情報」と取得検索端末テーブルの「端末情報」と入力値の「階層番号」の階層名が一致するか判定する（ステップＳ３８２）。
【０２２２】
一致しない場合（ステップＳ３８２のＮ）、検索端末索引をカウントアップし（ステップＳ３８３）、検索端末テーブルを全て調査したかの判定（ステップＳ３８０）に戻る。
【０２２３】
検索端末テーブルを全て調査した場合（ステップＳ３８０のＮ）、検索端末テーブルにない階層名である場合、取得許可端末テーブルの「端末情報」を検索端末テーブルの「端末情報」へ設定する（ステップＳ３８４）。
【０２２４】
次いで、検索端末数をカウントアップする（ステップＳ３８５）。
【０２２５】
その後、または、階層名が一致しない場合（ステップＳ３７７のＮ）、さらに、  階層名が一致する場合（ステップＳ３８２のＹ）、許可端末索引をカウントアップする（ステップＳ３８６）。
【０２２６】
次いで、許可端末テーブルを全て調査したか判定する（ステップＳ３８７）。全て調査していない場合（ステップＳ３８７のＹ）、端末情報の取得（ステップＳ３７４）に戻る。
【０２２７】
全て調査した場合（ステップＳ３８７のＮ）、検索端末テーブルの端末情報から入力値の「階層番号」の階層名、会員アドレスを取得し、階層一覧を作成する（ステップＳ３８８）。
【０２２８】
次いで、階層一覧を呼び出し元ＭＦＰへ返信する（ステップＳ３８９）。
【０２２９】
＜ＴＶ会議＞
図１７はＴＶ会議の処理例を示すシーケンス図である。なお、情報端末６ｃと情報端末６ｇの間で、それぞれ近傍のＭＦＰ５ａ、ＭＦＰ５ｅを介して接続を行う場合を例としている。
【０２３０】
情報端末６ｃにおいて、ＴＶ会議端末ＯＳが提供するアプリケーション起動手段により、端末識別通知アプリケーションを起動し、ログイン画面を表示し、ＭＦＰネットワークサービスにログインする（ステップＳ４０１）。
【０２３１】
次いで、ＴＶ会議端末ＯＳが提供するアプリケーション起動手段により、ＴＶ会議アプリケーションを起動し、接続先アドレスを入力し、接続する（ステップＳ４０２）。その後の処理は、ＴＶ会議アプリケーションにより実行される。
【０２３２】
ＭＦＰ５ａは、会議で使用する文書データを送信する（ステップＳ４０３）。ＴＶ会議端末ＯＳが提供するＡＰＩにより、文書データを文書アプリケーションへ渡し、相手方の情報端末６ｇに表示する（ステップＳ４０４）。
【０２３３】
ＭＦＰ５ａ側でのＴＶ会議開始時の水平スクロールボックス位置（ＨＰ）、垂直スクロールボックス位置（ＶＰ）をＴＶ会議端末ＯＳが提供するＡＰＩにより取得し、文書位置情報を送信する（ステップＳ４０５）。また、文書のスクロールが実行された時も同様に文書位置情報を送信する。
【０２３４】
これに応じ、ＴＶ会議端末ＯＳが提供するＡＰＩにより、情報端末６ｇにおける垂直スクロールボックスを文書位置情報「ＶＰ」へ移動する（ステップＳ４０６）。同様に、ＴＶ会議端末ＯＳが提供するＡＰＩにより、水平スクロールボックスを文書位置情報「ＨＰ」へ移動する（ステップＳ４０７）。
【０２３５】
情報端末６ｃからマイク入力音声データを送信すると（ステップＳ４０８）、情報端末６ｇでは音声データをスピーカ出力する（ステップＳ４０９）。
【０２３６】
情報端末６ｃからカメラ入力動画像データを送信すると（ステップＳ４１０）、情報端末６ｇでは動画像を画面へ表示する（ステップＳ４１１）。
【０２３７】
情報端末６ｃから文書上への上書き操作座標を取得し、描画情報を送信すると（ステップＳ４１２）、情報端末６ｇでは描画座標間を線描画することにより文書上へ上書きする（ステップＳ４１３）。
【０２３８】
図１８は文書位置情報所得の処理例を示す図である。情報端末６で動作する任意のアプリケーション（Office、Acrobat等）が表示する文書の文書位置検出方法の一例である。
【０２３９】
図１８において、端末ＯＳが提供するＡＰＩにより表示ウィンドウ情報（ウィンドウ識別（ｄＨａｎｄｌｅ）、左上端座標（ＷＸ，ＷＹ）、幅（ＷＷ）、高さ（ＷＨ））を検索し、最大面積（ＷＸ  ×  ＷＹ）のウィンドウを文書領域ウィンドウとする（ステップＳ４２１）。画面幅（ＳＷ）、画面高さ（ＳＨ）を、端末ＯＳが提供するＡＰＩにより取得する。
【０２４０】
また、スクロールバー情報（スクロールバー識別（ｈＨａｄｎｌｅ）、左上端座標（ＷＸ０，ＷＹ０）、幅（ＷＷ０）、高さ（ＷＨ０））を、端末ＯＳが提供するＡＰＩにより検索し、文書領域下端に近接するスクロールバーを文書領域の水平スクロールバーとする（ステップＳ４２２）。水平スクロールバーの水平スクロールボックス位置（ＨＰ）を、端末ＯＳが提供するＡＰＩにより取得する（ステップＳ４２３）。
【０２４１】
また、スクロールバー情報（スクロールバー識別（ｖＨａｎｄｌｅ）、左上端座標（ＷＸ１，Ｗｙ１）、幅（ＷＷ１）、高さ（ＷＨ１））を、端末ＯＳが提供するＡＰＩにより検索し、文書領域右端に近接するスクロールバーを文書領域の垂直スクロールバーとする（ステップＳ４２４）。垂直スクロールバーの垂直スクロールボックス位置（ＶＰ）を、端末ＯＳが提供するＡＰＩにより取得する（ステップＳ４２５）。
【０２４２】
また、文書位置を水平文書位置（ＨＰ）、垂直文書位置（ＶＰ）で管理する（ステップＳ４２６）。
【０２４３】
また、文書上へ上書き操作座標は文書表示領域左上端座標（ＷＸ，ＷＹ）を原点とする相対座標で管理する（ステップＳ４２７）。
【０２４４】
図１９は文書位置検出による文書画面共有の処理例を示す図である。
【０２４５】
図１９において、任意のアプリケーションが表示する文書上へ全画面サイズの透明ウィンドウを表示する（ステップＳ４３１）。
【０２４６】
次いで、水平スクロールボックス位置（ＨＰ）、垂直スクロールボックス位置（ＶＰ）を端末ＯＳが提供するＡＰＩにより取得する（ステップＳ４３２）。
【０２４７】
次いで、取得文書位置情報を相手端末へ通知する（ステップＳ４３３）。
【０２４８】
次いで、文書上への描画座標を取得し、文書領域左上端座標（ＷＸ，ＷＹ）を原点とする相対座標へ変換する（ステップＳ４３４）。
【０２４９】
次いで、描画情報を相手端末へ通知する（ステップＳ４３５）。
【０２５０】
相手端末は、文書位置情報を取得し、端末ＯＳが提供するＡＰＩにより、垂直スクロールボックスをＶＰへ移動する（ステップＳ４３６）。
【０２５１】
相手端末は、文書位置情報を取得し、端末ＯＳが提供するＡＰＩにより、水平スクロールボックスをＨＰへ移動する（ステップＳ４３７）。
【０２５２】
相手端末は、描画情報を取得、描画座標間を線描画することにより文書上へ上書きする（ステップＳ４３８）。
【０２５３】
＜総括＞
以上説明したように、本実施形態によれば、次のような利点がある。
【０２５４】
（１）既存のＭＦＰのネットワークを利用するため、セキュアなインターネット通信サービスを低コストで提供することができる。現状でＭＦＰはメンテナンスの目的でインターネットを介して接続され一元管理されており、回線容量の増量やサーバのパフォーマンスの増加を行うことにより、ＭＦＰネットワークシステムの構築は可能な状態にある。ＭＦＰネットワークシステムのＭＦＰ以外を事業者が提供するので、ＭＦＰユーザはセキュアなインターネット通信を低コストで利用でき、情報の漏洩による損害を防止することができる。
【０２５５】
（２）固定のアドレスあるいは一覧から相手を選択する簡単な操作でインターネット接続ができるので、作業の効率化を図ることができる。すなわち、情報端末と情報端末をインターネット接続する場合、相手のネットワークアドレスが必要となるが、一般的にネットワークアドレスは固定ではなく、情報端末起動時にＤＨＣＰ（Dynamic Host Configuration Protocol）サーバにより動的に割り振られ変化する。このため、情報端末をインターネット接続する度に相手のネットワークアドレスを電話や電子メール等により確認する必要があるが、情報端末が自己のネットワークアドレスを含む端末識別をＭＦＰに周期的に通知し、これに基づいて当宛先となる情報端末を選択する際のリストに用いることにより、情報端末のネットワーク接続を容易にすることができる。
【０２５６】
（３）ＭＦＰはローカル接続された情報端末を認証するため、情報端末を紛失しても悪意の利用を防止することができ、情報の漏洩による損害を防止することができる。
【０２５７】
（４）接続可能相手を限定するので、不要、迷惑な電話、電子メールの受信を防止することができる。すなわち、メールアドレスや電話番号を知った者は誰であれメール送信や電話が可能となるが、接続可能相手を限定するため、不要なメールや電話を排斥することができる。例えば、関連部署のみの接続を可能にすることができる。また、接続先アドレス（会員アドレス）が不明な場合、一覧から選択できると便利であるが、企業内の組織構成、人員構成が外部に知られると不利益を被る可能性がある。そのため、関係者のみにアドレスを公開することにより不利益を被らないようにすることができる。
【０２５８】
（５）低コストでセキュアなインターネットＴＶ会議が可能になるので、移動に伴う交通費の削減や会議の効率化を図ることができる。
【０２５９】
（６）低コストでセキュアなインターネット通話が可能になるので、無線により内線電話の構築が容易となる。
【０２６０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０２６１】
１、１ａ〜１ｃ            ネットワーク回線網
１１、１１ａ〜１１ｃ      インターネットサービスプロバイダ
１２、１２ａ〜１２ｃ      ネットワークオペレーションセンタ
２                        インターネットエクスチェンジ
３                        センターサーバ
３０                      データベース
３１                      ＩＰ−ＶＰＮ通信部
３２                      会員情報管理部
３３                      会員情報記憶部
３４                      会員認証部
３５                      端末情報管理部
３６                      端末情報記憶部
３７                      接続先一覧作成部
３８                      ＭＦＰ情報管理部
３９                      ＭＦＰ情報記憶部
４、４ａ、４ｂ            中継サーバ
４１                      ＩＰ−ＶＰＮ通信部
４２                      データ中継部
４３                      ＩＰ−ＶＰＮ通信部
５、５ａ〜５ｆ            ＭＦＰ
５１                      ＩＰ−ＶＰＮ通信部
５２                      ＷｉＦｉ通信部
５３                      ＭＦＰ操作部
５４                      ＭＦＰ機能実行部
５５                      ＭＦＰ情報管理部
５６                      ＭＦＰ情報記憶部
５７                      端末検知部
５８                      接続端末記憶部
５９                      印刷部
６、６ａ〜６ｇ            情報端末
６１                      ＷｉＦｉ通信部
６２                      印刷部
６３                      端末識別設定部
６４                      端末識別記憶部
６５                      端末識別通知部
６６                      ＴＶ会議部
６７                      電子メール部
６８                      電話部
【先行技術文献】
【特許文献】
【０２６２】
【特許文献１】特開２００８−２０５６５５号公報
【特許文献２】特開２００５−１５１３４０号公報
【特許文献３】特開２００３−２７４０６４号公報
【図１】
2015156592.tif 000003
【図２】
2015156592.tif 000004
【図３】
2015156592.tif 000005
【図４Ａ】
2015156592.tif 000006
【図４Ｂ】
2015156592.tif 000007
【図５】
2015156592.tif 000008
【図６Ａ】
2015156592.tif 000009
【図６Ｂ】
2015156592.tif 000010
【図７Ａ】
2015156592.tif 000011
【図７Ｂ】
2015156592.tif 000012
【図８Ａ】
2015156592.tif 000013
【図８Ｂ】
2015156592.tif 000014
【図９Ａ】
2015156592.tif 000015
【図９Ｂ】
2015156592.tif 000016
【図１０】
2015156592.tif 000017
【図１１Ａ】
2015156592.tif 000018
【図１１Ｂ】
2015156592.tif 000019
【図１１Ｃ】
2015156592.tif 000020
【図１２】
2015156592.tif 000021
【図１３】
2015156592.tif 000022
【図１４】
2015156592.tif 000023
【図１５】
2015156592.tif 000024
【図１６Ａ】
2015156592.tif 000025
【図１６Ｂ】
2015156592.tif 000026
【図１７】
2015156592.tif 000027
【図１８】
2015156592.tif 000028
【図１９】
2015156592.tif 000029